(57)【要約】【課題】電線群とチューブ状外装材の自由度を確保しながら、電線群のチューブ状外装材とコネクタとの間の露出部を堅固に保護することができ、かつ露出部の扇状に広がりに対応した保護空間の大きさを調整することができる電線群保護具およびワイヤハーネスを提供すること。【解決手段】第１の保護体２１と第２の保護体２２と、第１の保護体２１と第２の保護体２２が重なった係合状態を拘束する拘束具２３を備え、第１の保護体２１は、複数の電線１１を覆うコルゲートチューブ１４の端部１４ａを挟持するとともに、露出部１２の正面側と裏面側を覆う第１の正面部と第１の裏面部を有するとともに、露出部の一側面側を覆う第１の側面部を有し、第２の保護体２２は、第１の正面部と第１の裏面部の各外面に重なる第２の正面部と第２の裏面部を有するとともに、露出部１２の他側面側を覆う第２の側面部を有する。【選択図】図１
2016167427.tif 000002
【特許請求の範囲】
【請求項１】
チューブ状外装材から外部に延出し扇状に広がってコネクタに接続される複数の電線の、前記チューブ状外装材と前記コネクタとの間の露出部を保護する電線群保護具であって、
前記チューブ状外装材の端部を挟持しかつ前記露出部の正面側と裏面側を覆う第１の正面部と第１の裏面部を有するとともに、前記露出部の一側面側を覆う第１の側面部を有する第１の保護体と、
前記第１の正面部と前記第１の裏面部の各外面に重なる第２の正面部と第２の裏面部を有するとともに、前記露出部の他側面側を覆う第２の側面部を有する第２の保護体と、
前記第１の正面部と前記第２の正面部、および前記第１の裏面部と前記第２の裏面部の少なくとも一部が重なった係合状態で、該係合状態を拘束する拘束具を備えたことを特徴とする電線群保護具。
【請求項２】
前記拘束具は、前記第１の保護体と前記第２の保護体との接近・離隔する方向に複数段階に拘束するように設けられていることを特徴とする請求項１に記載の電線群保護具。
【請求項３】
前記拘束具は、１つまたは複数の凸部と、１つまたは複数の凹部との係合構造であって、前記凸部と前記凹部とが、前記第１の正面部と前記第２の正面部との密着面並びに前記第１の裏面部と前記第２の裏面部との密着面にそれぞれ介在するように配設されていることを特徴とする請求項２に記載の電線群保護具。
【請求項４】
前記第１の正面部の内面および第１の裏面部の内面に、前記第１の保護体と前記第２の保護体との接近・離隔する方向に延びていて、前記チューブ状外装材の端部の小径部外面に嵌合する凸条部を備えていることを特徴とする請求項１ないし３のいずれか１項に記載の電線群保護具。
【請求項５】
チューブ状外装材と、
配線方向に対して略直交する一方向に所要長尺でかつ長尺方向に前記チューブ状外装材の径よりも大きな範囲で並ぶ複数の接続端子挿入孔を有するコネクタと、
前記チューブ状外装材から外部に延出し扇状に広がって前記コネクタに接続される複数の電線と、
前記複数の電線の、前記チューブ状外装材と前記コネクタとの間の露出部を保護する請求項１〜４のいずれか１項に記載の電線群保護具と、
を備えたことを特徴とするワイヤハーネス。
【発明の詳細な説明】
【技術分野】
【０００１】
本発明は、電線群のチューブ状外装材とコネクタとの間の扇状に広がる露出部を堅固に保護する電線群保護具およびワイヤハーネスに関する。
【背景技術】
【０００２】
従来、この種の電線群保護具として、電線群の扇状に広がる露出部を堅固に保護することができる電線カバーを備えたコネクタが開示されている（特許文献１参照）。
【０００３】
図１０は、特許文献１の図３と実質的に同一のカバー付きのコネクタを示す図である。同図において、符号３１は電線、符号３２はコルゲートチューブ、符号３３はコネクタ、符号４０は電線カバーである。電線カバー４０は、第１〜第４の分割体４１〜４４で構成され、電線３１の回りを覆う。第１，第２の分割体４１，４２が先にコネクタ３３に取り付けられ、第３，第４の分割体４３，４４が後からコルゲートチューブ３２に取り付けられる。第１，第２の分割体４１，４２は互いに一体に組付けられ、また第３，第４の分割体４３，４４も互いに一体に組付けられる。第１，第２の分割体４１，４２と、第３，第４の分割体４３，４４とは、首振り可能に連結され、コルゲートチューブ３２の中心線とコネクタ３３の中心線との交差角が左右に３０度の範囲内で首振り可能でかつ、最大に首を振った状態で、ロックされるようになっている。
【先行技術文献】
【特許文献】
【０００４】
【特許文献１】特開２００７−２５０３９７号公報
【発明の概要】
【発明が解決しようとする課題】
【０００５】
しかしながら、特許文献１のコネクタに係る従来の電線カバーは、電線群とチューブ状外装材との間の自由度を確保しながら、電線群の扇状に広がる露出部を堅固に保護することができるものの、以下のような問題点があった。まず、従来の電線カバーは、コネクタが横長であり、コルゲートチューブから外部に延出してコネクタに接続する電線の本数が、例えば１０〜２０本と相違することにより、電線の露出部の扇状に広がりが大きく異なる場合に、１種類の電線カバーで露出部を保護できる汎用性を備えていない。さらに、従来のコネクタは、４つの分割体で構成されているので、装着に手間がかかり、製作コストが高く付いていた。
【０００６】
本発明は、上述のような課題を解決するためになされたもので、電線群とチューブ状外装材との間の自由度を大きく確保しながら、電線群のチューブ状外装材とコネクタとの間の扇状に広がる露出部を堅固に保護することができ、かつ露出部の扇状に広がりに対応した保護空間の大きさを調整することができ、構成部品の点数が少なく、装着が容易で、製作コストを低減することができる電線群保護具およびワイヤハーネスを提供することを目的とする。
【課題を解決するための手段】
【０００７】
本発明に係る電線群保護具は、上記目的達成のため、チューブ状外装材から外部に延出し扇状に広がってコネクタに接続される複数の電線の、前記チューブ状外装材と前記コネクタとの間の露出部を保護する電線群保護具であって、前記チューブ状外装材の端部を挟持しかつ前記露出部の正面側と裏面側を覆う第１の正面部と第１の裏面部を有するとともに、前記露出部の一側面側を覆う第１の側面部を有する第１の保護体と、前記第１の正面部と前記第１の裏面部の各外面に重なる第２の正面部と第２の裏面部を有するとともに、前記露出部の他側面側を覆う第２の側面部を有する第２の保護体と、前記第１の正面部と前記第２の正面部、および前記第１の裏面部と前記第２の裏面部の少なくとも一部が重なった係合状態で、該係合状態を拘束する拘束具を備えた構成である。
【０００８】
この構成により、本発明に係る電線群保護具は、第１の保護体をチューブ状外装材の端部に挟持するよう取り付けることにより、第１の保護体で電線群の扇状に広がる露出部の正面側と裏面側と一側面の三方を覆うことができ、次いで、第２の保護体を第１の保護体に対して他側から挟持するよう取り付けることにより、第２の保護体で電線群の扇状に広がる露出部の他側面を覆うことができる。
【０００９】
そして、第１の保護体と第２の保護体とは、チューブ状外装材の端部に支持されて、コネクタの接続面に近接するが干渉しない状態に、電線群の扇状に広がる露出部の周囲を堅固に覆って保護することができる。第１の保護体と第２の保護体とは、電線群の本数が異なり露出部の扇状の広がりが大きく異なっても、その大きさに応じて、第１の保護体と第２の保護体の接近・離隔方向の重ね合わせ寸法を調節されてから、拘束具で拘束されることにより、露出部の扇状の広がりに対応した保護空間の大きさを調整することができる。また、本発明に係る電線群保護具は、構成部品の点数が２つと少ないので、装着が容易であり、製作コストを低減することができる。
【００１０】
本発明に係る電線群保護具によれば、前記拘束具は、前記第１の保護体と前記第２の保護体との接近・離隔する方向に複数段階に拘束するように設けられていることが好ましい。
【００１１】
この構成により、本発明に係る電線群保護具は、露出部の扇状の広がりに対応した保護空間の大きさを調整することができる。
【００１２】
本発明に係る電線群保護具によれば、前記拘束具は、１つまたは複数の凸部と、１つまたは複数の凹部との係合構造であって、前記凸部と前記凹部とが、前記第１の正面部と前記第２の正面部との密着面並びに前記第１の裏面部と前記第２の裏面部との密着面にそれぞれ介在するように配設されていることが好ましい。
【００１３】
この構成により、本発明に係る電線群保護具は、第１の保護体と第２の保護体の接近・離隔方向の重ね合わせ位置を複数の異なった定位置に選択できて、位置決めロックできる。
【００１４】
本発明に係る電線群保護具によれば、前記第１の正面部の内面および第１の裏面部の内面に、前記第１の保護体と前記第２の保護体との接近・離隔する方向に延びていて、前記チューブ状外装材の端部の小径部外面に嵌合する凸条部を備えていることが好ましい。
【００１５】
この構成により、本発明に係る電線群保護具は、チューブ状外装材に対し第１の保護体を取付けると、第１の保護体がチューブ状外装材の長手方向に位置ずれすることがない。
【００１６】
本発明に係るワイヤハーネスは、上記目的達成のため、チューブ状外装材と、配線方向に対して略直交する一方向に所要長尺でかつ長尺方向に前記チューブ状外装材の径よりも大きな範囲で並ぶ複数の接続端子挿入孔を有するコネクタと、前記チューブ状外装材から外部に延出し扇状に広がって前記コネクタに接続される複数の電線と、前記複数の電線の、前記チューブ状外装材と前記コネクタとの間の露出部を保護する本発明に係る電線群保護具と、を備えた構成である。
【００１７】
この構成により、本発明に係るワイヤハーネスは、電線群のチューブ状外装材とコネクタとの間の扇状に広がる露出部を、２つの分割体からなる電線群保護具により堅固に保護することができ、かつ露出部の扇状に広がりに対応した保護空間の大きさを調整することができる。
【発明の効果】
【００１８】
本発明によれば、電線群とチューブ状外装材との間の自由度を大きく確保しながら、電線群のチューブ状外装材とコネクタとの間の扇状に広がる露出部を堅固に保護することができ、かつ露出部の扇状に広がりに対応した保護空間の大きさを調整することができ、構成部品の点数が少なく、装着が容易で、製作コストを低減することができる電線群保護具およびワイヤハーネスを提供することができる。
【図面の簡単な説明】
【００１９】
【図１】本発明の一実施の形態に係るワイヤハーネスを示し、かつ電線の露出部に電線群保護具で覆うところを示す平面図である。
【図２】本発明の一実施の形態に係るワイヤハーネスを示し、電線群保護具を取付けた状態を示す平面図である。
【図３】本発明の一実施の形態に係る電線群保護具の第１，第２の保護体を対向させて示す斜視図である。
【図４】本発明の一実施の形態に係る電線群保護具の第１，第２の保護体を浅く組み立てた状態を示す斜視図である。
【図５】本発明の一実施の形態に係る電線群保護具の第１，第２の保護体を深く組み付けた状態を示す斜視図である。
【図６】本発明の一実施の形態に係る電線群保護具の第１，第２の保護体をコルゲートチューブに深く組み付けた状態を示す斜視図である。
【図７】図６におけるＡ−Ａ断面図である。
【図８】本発明の一実施の形態に係る電線群保護具の第１の保護体をコルゲートチューブに組み付けた状態を示す斜視図である。
【図９】図８におけるＢ−Ｂ断面図である。
【図１０】従来の電線カバーを備えたコネクタの断面図を示す。
【発明を実施するための形態】
【００２０】
以下、本発明に係る電線群保護具およびワイヤハーネスの一実施の形態について、図面を参照して説明する。
【００２１】
図１，図２に示すように、ワイヤハーネス１は、電線群１０と、チューブ状外装材としてのコルゲートチューブ１４と、コネクタ１５と、電線群１０の露出部１２を保護する電線群保護具２０と、を備えている。
【００２２】
電線群１０は、コルゲートチューブ１４から外方に延出した位置で、コネクタ１５の複数の端子挿入孔１６に対し１本ずつ分かれて接続される複数の電線１１となっていて、各電線１１の端末に接続端子１３が付設されている。
【００２３】
複数の電線１１は、全本数がいわゆる被覆電線であるが、これら電線は外皮で被覆されていなくてもよいし、アース線として使用される裸電線を含んで外皮で被覆されていてもよいし、さらに、複数の被覆電線と１本のアース線を導電性の網筒線であるシースで被覆され、さらにＰＶＣ製などの外皮で被覆された構成であってもよい。
【００２４】
電線群１０は、外皮やシースを有する構成である場合には、コルゲートチューブ１４から露出する位置に合わせて、外皮等を切除される。電線群１０を構成する電線１１の本数に、特に限定はない。
【００２５】
複数の電線１１は、コルゲートチューブ１４から外部に延出し、コルゲートチューブ１４とコネクタ１５との間の露出部１２が扇状に広がり、各端末に備える接続端子１３をコネクタ１５の端子挿入孔１６内に収容されることによりコネクタ１５に接続される。露出部１２の扇状の広がりの大きさは、電線群１０を構成する電線１１の本数によって決まる。
【００２６】
コルゲートチューブ１４は、大径部と小径部とが軸線方向に交互に並び、一側の軸線方向に沿った断面形状が台形の波状である可撓性を有する、例えばポリプロピレンやポリエチレンなどの合成樹脂製のチューブであり、電線群１０の太さまたは電線１１の本数に適切に対応する径サイズのものが選択される。
【００２７】
コネクタ１５は、合成樹脂からなる成形体であり、配線方向に対して略直交する一方向に長尺でかつ該長尺方向に並ぶ複数の端子挿入孔１６を有し、端子挿入孔１６の全部または一部に複数の電線１１の各端末に付設された接続端子１３が収容される。コネクタ１５は、一段に例えば２０個の端子挿入孔１６を有し、かつ、一段ないし複数段有している。
【００２８】
図３〜図９に示すように、電線群保護具２０は、合成樹脂成形体である第１の保護体２１および第２の保護体２２を備え、最初に、第１の保護体２１がコルゲートチューブ１４の端部１４ａを挟持するように組付けられ（図８参照）、次いで、第２の保護体２２が組付けられ（図６参照）、扁平な角筒状の保護空間Ｓを形成し（図７参照）、保護空間Ｓ内に電線群１０の扇状に広がる露出部１２を収容し保護する（図２，図６，図９参照）。
【００２９】
第１の保護体２１は、露出部１２に対し露出部１２の扇状の広がり方向の一側から図１，図３に示す矢印Ａ方向に移動して、コルゲートチューブ１４の端部１４ａを挟持するとともに、露出部１２の正面側と裏面側を覆う第１の正面部２１ａと第１の裏面部２１ｂを有するとともに、露出部１２の一側面側を覆う第１の側面部２１ｃを有し、扇状に広がる露出部１２の三方を覆う。
【００３０】
第１の保護体２１は、第１の正面部２１ａの内面および第１の裏面部２１ｂの内面に、第１の保護体２１の第２の保護体２２との接近・離隔する方向に延びていて、コルゲートチューブ１４の端部の小径部外面１４ｂに係合する２つの凸条部２４を備えている。
【００３１】
凸条部２４がコネクタ１５から離れる側に寄って設けられることにより、第１の保護体２１がコルゲートチューブ１４の端部に取り付けられると、第１の保護体２１の凸条部２４よりもコネクタ１５に寄った部分がコルゲートチューブ１４の端部より張り出して電線群１０の露出部１２を覆うことができる。また、凸条部２４がコネクタ１５から離れる側に寄って設けられることにより、第１の保護体２１のコルゲートチューブ１４の端部に被さる寸法を小さく抑えられて、ひいては、第１の保護体２１の電線方向の寸法を小さくすることができる。
【００３２】
第２の保護体２２は、露出部１２に対し扇状の広がり方向の他側から図１，図３に示す矢印Ｂ方向に移動して、第１の正面部２１ａおよび第１の裏面部２１ｂの各外面に重なる第２の正面部２２ａおよび第２の裏面部２２ｂを有するとともに、露出部１２の他側面側を覆う第２の側面部２２ｃを有し、扇状に広がる露出部１２の残りの一方を覆う。
【００３３】
図４は、第１の保護体２１と第２の保護体２２とが最大に離間して一体に組み合わさった状態である。この状態では、第１の正面部２１ａおよび第１の裏面部２１ｂに設けられた各３つの凸部２３ａのうちの１つが、第２の正面部２２ａおよび第２の裏面部２２ｂに設けられた各３つの凹部２３ｂのうちの１つに嵌合する。この状態では、第１の保護体２１と第２の保護体２２とで形成される扁平な角筒状の最大の保護空間Ｓの開口は、コネクタ１５の接続側端面の大きさに対応する電線群１０を構成する電線１１が最大本数、例えば２０本に対応する大きさとなっている。
【００３４】
すなわち、電線群保護具２０は、コルゲートチューブ１４とコネクタ１５との間の最大の扇状に広がる露出部１２を収容し保護するときには、第１の保護体２１と第２の保護体２２とが最大に離間して一体に組み合わさった状態とする。なお、図６に示すように、扁平な角筒状の保護空間Ｓのコルゲートチューブ１４側の開口は、コネクタ１５側の開口よりも小さく絞られている。
【００３５】
図５〜図７は、第１の保護体２１と第２の保護体２２の重ね合わせ寸法が最大となるように一体に組み合わさった状態である。この状態では、第１の正面部２１ａおよび第１の裏面部２１ｂ設けられた各３つの凸部２３ａが、第２の正面部２２ａおよび第２の裏面部２２ｂに設けられた各３つの凹部２３ｂに嵌合する。この状態では、保護空間Ｓは、コネクタ１５の接続側端面の大きさに対応する電線群１０を構成する例えば１０本の電線１１を非接触で収容できる大きさとなる。
【００３６】
すなわち、電線群保護具２０は、コルゲートチューブ１４とコネクタ１５との間の最小の扇状に広がる露出部１２を収容し保護するときには、第１の保護体２１と第２の保護体２２との重ね合わせ寸法が最大となるように組み合わさった状態とする。
【００３７】
図３〜図６に示すように、電線群保護具２０は、拘束具２３を備えている。拘束具２３は、第１の正面部２１ａと第２の正面部２２ａとの合わせ面並びに第１の裏面部２１ｂと第２の裏面部２２ｂとの合わせ面にそれぞれ介在するように配設され第１の保護体２１と第２の保護体２２とが接近・離隔する方向に組み合わさった複数段階の各係合状態の拘束を実現する。
【００３８】
詳述すると、この実施の形態では、第１の正面部２１ａおよび第１の裏面部２１ｂには、第１の正面部２１ａおよび第１の裏面部２１ｂに向かって突出する３つの凸部２３ａをそれぞれ有し、第２の正面部２２ａおよび第２の裏面部２２ｂには、３つの凸部２３ａに対応する３つの凹部２３ｂを有している。さらに、第２の正面部２２ａおよび第２の裏面部２２ｂには、第２の正面部２２ａおよび第２の裏面部２２ｂが撓んで間隔が開きやすくなるようにそれぞれに３つの薄肉部２３ｃが形成されており、これにより、凸部２３ａと凹部２３ｂとの係合が容易になっている。
【００３９】
電線群保護具２０は、第１の保護体２１と第２の保護体２２とで形成する扁平な角筒状の堅固な保護空間Ｓを、電線群１０の電線１１の本数が少なく、複数の電線１１が、コルゲートチューブ１４とコネクタ１５との間の小さい扇状に広がる露出部１２を収容し保護することができる。
【００４０】
図８に示すように、本実施の形態に係る電線群保護具２０によれば、最初に、第１の保護体２１をコルゲートチューブ１４の端部に挟持するよう取り付けることにより、第１の保護体２１で電線群１０の扇状に広がる露出部１２の正面側と裏面側と一側面の三方を覆うことができ、次いで、第２の保護体２２を第１の保護体２１に対して他側から挟持するよう取り付けることにより、第２の保護体２２で電線群１０の扇状に広がる露出部１２の他側面を覆うことができる。
【００４１】
図２に示す電線群保護具２０とコネクタ１５との隙間Ｃは、２〜３ｍｍに設定するのが好ましい。第１の保護体２１と第２の保護体２２とは、コルゲートチューブ１４の端部に支持されて、コネクタ１５の接続面に近接するが干渉しない状態に、電線群１０の扇状に広がる露出部１２の周囲を堅固に覆って保護することができる。
【００４２】
第１の保護体２１と第２の保護体２２とは、電線群１０の本数が異なり露出部１２の扇状の広がりが大きく異なっても、その大きさに応じて、第１の保護体２１と第２の保護体２２の接近・離隔方向の重ね合わせ寸法を調節されてから、拘束具２３で拘束されることにより、露出部１２の扇状の広がりに対応した保護空間Ｓの大きさを調整することができる。また、本実施の形態に係る電線群保護具２０は、構成部品の点数が２つと少ないので、装着が容易であり、製作コストを低減することができる。
【００４３】
本実施の形態に係る電線群保護具２０によれば、拘束具２３は、第１の保護体２１と第２の保護体２２との接近・離隔する方向に複数段階に拘束するように設けられているので、露出部１２の扇状の広がりに対応した保護空間Ｓの大きさを調整することができる。
【００４４】
本実施の形態に係る電線群保護具２０によれば、第１の保護体２１と第２の保護体２２との密着面に介在するように凸部と凹部とで構成される拘束具２３備えたので、第１の保護体２１と第２の保護体２２の接近・離隔方向の重ね合わせ位置を複数の異なった定位置に選択できて、位置決めロックできる。
【００４５】
本実施の形態に係る電線群保護具２０によれば、第１の正面部の内面および第１の裏面部の内面に、凸条部２４を備えているので、コルゲートチューブ１４に対し第１の保護体２１を取付けると、第１の保護体２１がコルゲートチューブ１４の長手方向に位置ずれすることがない。凸条部２４は、１つ備えていればよい。
【００４６】
本実施の形態に係るワイヤハーネス１によれば、複数の電線１１の、コルゲートチューブ１４とコネクタ１５との間の露出部１２を保護する本実施の形態に係る電線群保護具２０を備えたので、電線群保護具２０の効果を全て有し、電線群１０のコルゲートチューブ１４とコネクタ１５との間の扇状に広がる露出部１２を、２つの分割体からなる電線群保護具２０により堅固に保護することができ、かつ露出部１２の扇状に広がりに対応した保護空間Ｓの大きさを調整することができる。
【００４７】
本発明は、上記の実施の形態に替えて、以下の構成にしてもよい。
上記の実施の形態では、拘束具２３について、３つの凸部２３ａと、３つの凹部２３ｂとの係合構造を示したが、第１の保護体２１寄りの１つの凸部２３ａと、３つの凹部２３ｂとの係合構造としてもよく、また、凸部２３ａを第２の保護体２２より第１の保護体２１に向かい突出するように設けるとともに、凹部２３ｂを第１の保護体２１に設けるようにしてもよい。
【００４８】
上記の実施の形態では、チューブ状外装材としてコルゲートチューブを示したが、これに限定されるものではなく、例えば、エラストマーからなるチューブとしてもよい。
【００４９】
本発明によれば、電線群とチューブ状外装材との間の自由度を大きく確保しながら、電線群のチューブ状外装材とコネクタとの間の扇状に広がる露出部を堅固に保護することができ、かつ露出部の扇状に広がりに対応した保護空間の大きさを調整することができ、構成部品の点数が少なく、装着が容易で、製作コストを低減することができるという効果を有し、チューブ状外装材とコネクタとの間の電線群の露出部分を保護する電線群保護具およびワイヤハーネスの全般に有用である。
【符号の説明】
【００５０】
１  ワイヤハーネス
１０  電線群
１１  電線
１２  露出部
１３  接続端子
１４  コルゲートチューブ（チューブ状外装材）
１４ａ  端部
１４ｂ  小径部外面
１５  コネクタ
１６  端子挿入孔
２０  電線群保護具
２１  第１の保護体
２１ａ  第１の正面部
２１ｂ  第１の裏面部
２１ｃ  第１の側面部
２２  第２の保護体
２２ａ  第２の正面部
２２ｂ  第２の裏面部
２２ｃ  第２の側面部
２３  拘束具
２３ａ  凸部
２３ｂ  凹部
２４  凸条部
【図１】
2016167427.tif 000003
【図２】
2016167427.tif 000004
【図３】
2016167427.tif 000005
【図４】
2016167427.tif 000006
【図５】
2016167427.tif 000007
【図６】
2016167427.tif 000008
【図７】
2016167427.tif 000009
【図８】
2016167427.tif 000010
【図９】
2016167427.tif 000011
【図１０】
2016167427.tif 000012